(57)【要約】  本発明は、通常時にはユーザに望ましい圧力を有する用水を供給し、給水一時停止中にはユーザに貯水槽内の貯蔵水を迅速かつ効果的に供給するための改善されたシャトル弁提供する。 貯水槽に連結した用水管、用水管から延出する支管、貯水槽および給水管に連結した放水管を有する給水配管設備に連結することができるシャトル弁は、一端に放水管接合部、他端に支管接合部、側面に給水管接合部、放水管接合部に連結した放水管、支管接合部に連結した支管、給水管に連結した給水管接合部を有するケーシング、およびその中に中空スペースを有するケーシング、およびケーシングに挿入したスイッチング素子、および残存水が縦溝を経由して上方移動するため、外面に少なくとも１つの縦溝を有する円筒形状を有するスイッチング素子を具備する。
2006523293.tif 000002
【特許請求の範囲】
【請求項１】
一端に放水管接合部、他端に支管接合部、側面に給水管接合部、放水管接合部に連結した放水管、支管接合部に連結した支管、給水管に連結した給水管接合部を有するケーシング、およびその中に中空スペースを有するケーシング、およびケーシングに挿入したスイッチング素子、および外面に少なくとも１つの縦溝を有する円筒形状を有するスイッチング素子を具備する、貯水槽に連結した用水管、用水管から延出する支管、貯水槽および給水管に連結した放水管を有する給水配管設備に連結することができるシャトル弁。
【請求項２】
スイッチング素子が上面と底面それぞれにゴムパッキンを有する請求項1 のシャトル弁。
【請求項３】
スイッチング素子が少なくとも１つの円周溝を外面に有する請求項1 のシャトル弁。
【請求項４】
スイッチング素子がさらに、バネ、バネ挿入孔、バネ固定リング、スイッチング素子内に形成したバネ挿入孔、および放水管接合部、支管接合部、バネ固定リングに連結したバネの一端、バネ挿入孔に配置したバネの他端の１つに挿入および固定したバネ固定リングを持つ請求項1 のシャトル弁。
【請求項５】
スイッチング素子が上面と底面にパッキン材を有する請求項4 のシャトル弁。
【請求項６】
パッキン材がゴムおよびウレタンのいずれか１つで形成される請求項5 のシャトル弁。
【請求項７】
一端に放水管接合部、他端に支管接合部、および側面に給水管接合部、放水管接合部に連結した放水管、支管接合部に連結した支管、給水管に連結した給水管接合部を有するケーシング、およびその中に中空スペースを有し、内面に少なくとも１つの縦溝を有するケーシング、および放水管接合部および支管接合部を水圧によって選択的に開閉するためのケーシングに挿入したスイッチング素子を具備する、貯水槽に連結した用水管、用水管から延出する支管、貯水槽および給水管に連結した放水管を有する給水配管設備に連結することができるシャトル弁。
【請求項８】
スイッチング素子がさらに、バネ、バネ挿入孔、バネ固定リング、スイッチング素子内に形成したバネ挿入孔、および放水管接合部、支管接合部、バネ固定リングに連結したバネの一端、バネ挿入孔に配置したバネの他端の１つに挿入および固定したバネ固定リングを持つ請求項7 のシャトル弁。
【請求項９】
スイッチング素子が上面と底面にパッキン材を有する請求項8 のシャトル弁。
【請求項１０】
パッキン材がゴムおよびウレタンのいずれか１つで形成される請求項9 のシャトル弁。
【請求項１１】
スイッチング素子の形状が球体および円筒より選択される請求項7 のシャトル弁。
【請求項１２】
スイッチング素子が上面と底面それぞれにゴムパッキンを有する請求項7 のシャトル弁。
【発明の詳細な説明】
【技術分野】
【０００１】
本発明は水圧により作動するシャトル弁に関するものであって、より具体的に言うと、通常時には用水を効率的にユーザに供給するが、水道局給水一時停止時には屋上の貯水槽から貯蔵水を効率的にユーザに供給するために、一戸建て家屋、共同住宅、アパートまたはビジネスビルなど建物の給水配管設備に設置するシャトル弁に関するものである。
【背景技術】
【０００２】
本発明は、水道局から提供される用水および貯水槽の貯蔵水を従来技術のシャトル弁と比べてより効果的にユーザに供給することができる改善されたシャトル弁を目的とする。
【０００３】
通常、貯水槽は一戸建て家屋、共同住宅およびアパートなどの住宅建物またはビジネス建物の屋上に設置される。 通常、水道局から高圧で提供される用水は貯水槽に貯蔵され、次いでユーザに供給される。 しかしながら、用水の高圧はユーザに供給される前に貯水槽に貯蔵する過程でほとんどゼロに減少してしまう。 よって貯蔵水は貯水槽内の水圧のみによってユーザに供給されるので、低い水圧のために上の階に住むユーザには貯蔵水を効果的に供給することができない。 水圧を増加するために増圧ポンプを追加として使用することができるが、増圧ポンプの使用は騒音が非常に大きく、また消費電力も高いという点で好ましくない。
【０００４】
上述の問題を克服するため、本出願人は出願番号が「20-2002-0025270」、考案の名称が「水圧によって作動するシャトル弁」の実用新案を2002年8月2４日付けで出願している。
【０００５】
以下に、本発明に包含した上記実用新案の構造と問題に関して添付図面を参照して説明する。
【０００６】
図１では本発明による建物の給水配管設備におけるシャトル弁の設置実施例を例示し、図２には従来技術によるシャトル弁の分解斜視図を例示し、図３には図２のシャトル弁断面図を例示する。図１は本発明を説明するために提供したが、従来技術によるシャトル弁を説明するために用いることもできる。
【０００７】
従来技術のシャトル弁50 は、主にケーシング5、ケーシング5 にねじ止めした上下キャップ15、およびケーシング5 に挿入したスイッチング素子10 を具備する。 上下キャップ15 を放水管220 および支管230 にそれぞれに連結し、ケーシング5 の側面に形成する給水管接合部4 を給水管240 に連結する。 スイッチング素子10 は主に本体6、ゴムパッキン7、座金8 および連結ボルト9 を具備する。 ゴムパッキン7 は連結ボルト9 によって本体6 の上面と底面に連結する。
【０００８】
スイッチング素子10 は、その中に中空スペースを有するケーシング5 に挿入すると、水圧によって上下に移動してキャップ15 を選択的に上下に開閉する。 用水が正常に用水管210 に供給されると、用水は支管230 を経由して下キャップ15 に供給され、次いでシャトル弁50 の中空スペース底部にあるスイッチング素子10 が水圧によって強く押される。 水圧によって上方に移動したスイッチング素子10 は、最終的に貯水槽200 の放水管220 に連結する上部キャップ15 の水通路を遮断する。
【０００９】
上方に移動したスイッチング素子10 が上部キャップ15 を遮断するため、下キャップ15 に供給される用水は給水管接合部4 を経由して給水管240 へ流れることができる。 よって、ユーザが給水管240 に連結した蛇口245 を開けると、水道局の供給水圧を損失することなく用水を最終的にユーザに供給することができる。
【００１０】
蛇口245 を遮断すると同時に、用水の高圧は上部キャップ15 の水通路を遮断するまでスイッチング素子10 を連続的に押し、かくして水道局から用水管210 に供給される用水は貯水槽200 に供給される。 ひとたび貯水槽200 が特定量の水で満たされると、貯水槽200 内の浮きによって用水の貯水槽への供給は停止される。
【００１１】
給水一時停止のため、用水が水道局から用水管210 に供給されない際には、貯水槽内の貯蔵水200 を使用することができる。 ひとたびユーザが蛇口245 を開けて水が使用されると、上部キャップ15 の水通路を遮断するスイッチング素子10 は貯水槽内の貯蔵水200 の水圧によって下方移動する。 下方移動したスイッチング素子10 は支管230 に連結した下キャップ15 の水通路遮断し、かくして貯水槽内の貯蔵水200 を貯水槽200 に連結した放水管220を経由して給水管240 に供給することができ、ユーザは蛇口245 を介して水を使用することができる。
【００１２】
しかしながら、通常、用水供給が一時停止されたときでもシャトル弁50 のケーシング5 内には特定量の水が残存する。 水は一種の非圧縮性流体であるため、スイッチング素子10 は下方移動中にケーシング5 内の残存水の抵抗を受ける。 すなわち、ひとたびスイッチング素子10 の底部が残存水と接触すると、スイッチング素子10 は貯水槽内の貯蔵水200 の水圧によって下方移動するものの、給水管240 の水通路に至るまで遊動することができない。
【００１３】
スイッチング素子10 とケーシング5 内面の間の間隔は非常に小さく、残存水はその間隔を介して非常に緩慢に上方へ流れるため、スイッチング素子10 は非常に緩慢に下方移動する。 スイッチング素子10 が下方移動して給水管接合部 4 の水通路を開けるのに時間がかかるために、ユーザが蛇口245 を開けた後、水が使用できるまでにはユーザは長時間待たなくてはならない。 蛇口245 を開けた後に貯水槽内の貯蔵水200 が蛇口245 から流出するのに約4 〜 5 分間かかることが実験的に検証されている。 以上の点から、貯蔵水が蛇口245 から流出するまでに長時間が必要とされるため、ユーザは不便を余儀なくされる。
【発明の開示】
【発明が解決しようとする課題】
【００１４】
本発明は従来技術で発生する上記問題を念頭においてなされたものであり、本発明の目的は、通常時では用水を所望の圧力と量でユーザに供給し、給水一時停止時には貯水槽内の貯蔵水を瞬時にユーザ一に供給するため、一戸建て家屋、共同住宅およびアパートまたはビジネス建物など住宅建物の給水配管設備に容易に設置することができる改善されたシャトル弁を提供することである。
【課題を解決するための手段】
【００１５】
これらの利点と他の利点を達成するため、本発明の目的に従って包含し、広く記載したように、貯水槽に連結した用水管、用水管から延出する支管、貯水槽および給水管に連結した放水管を有する給水配管設備に連結することができるシャトル弁は、一端に放水管接合部、他端に支管接合部、側面に給水管接合部、放水管接合部に連結した放水管、支管接合部に連結した支管、給水管に連結した給水管接合部を有するケーシング、およびその中に中空スペースを有するケーシング、およびケーシングに挿入したスイッチング素子、および外面に少なくとも１つの縦溝を有する円筒形状を有するスイッチング素子を具備する。
【００１６】
上記では、スイッチング素子は上面と底面それぞれにゴムパッキンを持つことができる。 スイッチング素子は外面に少なくとも１つの円周溝を持つことができる。
【００１７】
上記では、スイッチング素子はさらに、バネ、バネ挿入孔、バネ固定リング、スイッチング素子内に形成したバネ挿入孔、および放水管接合部、支管接合部、バネ固定リングに連結したバネの一端、バネ挿入孔に配置したバネの他端の１つに挿入および固定したバネ固定リングをさらに持つことができる。 スイッチング素子は上面と底面にパッキン材を持つことができ、パッキン材はゴムおよびウレタンのいずれからも成形してもよい。
【００１８】
別の態様では、貯水槽に連結した用水管、用水管から延出する支管、貯水槽および給水管に連結した放水管を有する給水配管設備に連結することができるシャトル弁は、一端に放水管接合部、他端に支管接合部、および側面に給水管接合部、放水管接合部に連結した放水管、支管接合部に連結した支管、給水管に連結した給水管接合部を有するケーシング、およびその中に中空スペースを有し、内面に少なくとも１つの縦溝を有するケーシング、および放水管接合部および支管接合部を水圧によって選択的に開閉するためのケーシングに挿入したスイッチング素子を具備する。
【００１９】
上記では、スイッチング素子はさらに、バネ、バネ挿入孔、バネ固定リング、スイッチング素子内に形成したバネ挿入孔、および放水管接合部、支管接合部、バネ固定リングに連結したバネの一端、バネ挿入孔に配置したバネの他端の１つに挿入および固定したバネ固定リングを持つことができる。スイッチング素子は上面と底面にパッキン材を持つことができ、パッキン材はゴムおよびウレタンのいずれからも成形してもよい。
【００２０】
上記では、スイッチング素子の形状は球形または円筒形のいずれであってもよい。 スイッチング素子はその上面と底面それぞれにゴムパッキンを持つことができる。
【００２１】
以上の一般説明および以下の詳細説明は例示的かつ注釈的なものであり、本発明のさらに詳細な説明を提供するものである。
【発明の効果】
【００２２】
本発明によれば、ケーシング内に残存する水を溝に沿って上方に流すために、シャトル弁のスイッチング素子の外面またはシャトル弁のケーシングの内面に溝を形成することによって、水道局から供給される用水を通常時には高圧でユーザに供給し、貯水槽内の貯蔵水を瞬時にユーザに供給することができる。
【００２３】
本発明のシャトル弁簡単な構造を有するため、本発明のシャトル弁は建物の給水配管設備に容易に設置することができ、そして頻繁に故障する恐れがない。 しかも、本発明のシャトル弁は動力の供給を必要としないため、経済的であり、静音で環境に優しい。
【００２４】
加えて、本発明のシャトル弁は、建物の給水配管設備における設置および除去が容易であり、一戸建て家屋、共同住宅、アパートおよびビジネスビルなどの建物に広範に適用することができる。
【発明を実施するための最良の形態】
【００２５】
これから添付図面に例示する本発明の好適な実施形態を詳細に参照する。
【００２６】
図４には本発明のシャトル弁の斜視図を例示し、図５には本発明の第１実施形態によるシャトル弁の図４の「VI-VI」線に沿った断面図を例示し、および図６には図５のシャトル弁に挿入したスイッチング素子の斜視図を例示する。以下、構造および操作原理を図１および図４〜図６を参照して詳細に説明する。
【００２７】
本発明の第１実施形態によるシャトル弁100 は主にケーシング110 およびケーシング110 内で上下移動するためにケーシング110 に挿入したスイッチング素子150 を具備する。 ケーシング110 は一端に放水管接合部120 を持ち、他端に支管接合部130 を持つ。 放水管接合部120 は放水管220 に連結した貯水槽200 に連結し、そして支管接合部130 は用水管210 から延出する支管230 に連結する。 ケーシング110 は、蛇口またはシャワーなどの開閉弁に連結する給水管240 に連結される給水管接合部140 を側面に有する。 放水管接合部120、支管接合部130 および給水管接合部140 は、放水管220、支管230 および給水管240 に連結されるそれぞれの内面に雌ネジを持つことができる。 ケーシング110 はその中に、スイッチング素子150 が用水または貯水槽内の貯蔵水200 の水圧によって上下に移動するための中空スペースを有する。 ストッパ112 をケーシング110 の内面に第５図に示したように形成し、ケーシング110 内スイッチング素子150 の動作を停止する。
【００２８】
スイッチング素子150 は、放水管接合部120 および支管接合部130 の水通路を選択的に開放および遮断することによってユーザに水を供給するために、水圧によって上下に移動することができる。 スイッチング素子150 は望ましくは、本体152、本体152 の上面と底面に連結したゴムパッキン156 およびゴムパッキン156 を本体152 に連結するための連結素子158 を具備することができる。 連結素子158 にはさらに座金 (図示せず) を含むことができる。
【００２９】
図６に示したように、スイッチング素子150 は円筒形状を持ち、その外面には複数の縦溝154 を持つことができる。
【００３０】
縦溝154 は給水一時停止中にケーシング110 内に残存水を汲み上げるためのものであって、詳細は以下に説明する。
【００３１】
本発明のシャトル弁の操作原理は次の通りである。 水道局から高圧で提供された用水は用水管210 に供給され、次いで支管230 に供給される。 支管230 に供給される用水は比較的高圧であるため、用水圧によりケーシング110 底部に置かれているスイッチング素子150 が押し上げられる。 スイッチング素子150 はストッパ112 と接触するまで上方移動し、かくして放水管接合部120 の水通路を遮断する。 貯水槽内の貯蔵水200 の水圧はスイッチング素子150 の頂面垂直に作用し、支管接合部130 内の用水圧はスイッチング素子150 の底面垂直に作用する。 通常、用水圧は貯水槽内の貯蔵水200 の水圧と比較してはるかに高いため、その水圧差により図５のA に示したように放水管接合部120 の水通路はスイッチング素子150 によって遮断された状態に保たれる。 スイッチング素子150 がストッパ112 と接触して放水管接合部120 の水通路を遮断すると同時に、ケーシング110 の側面に形成する給水管接合部140 の水通路が開く。 よって、支管230 に供給される用水は、給水管接合部140 を経由して給水管240 に供給することができ、したがって給水管240 に連結した蛇口245 を開けることによって用水を最終的にユーザに供給することができる。 本明細書に記述したように、水道局から高圧で供給される用水は、圧力損失なしにユーザに直接的かつ効果的に供給することができる。
【００３２】
ユーザが蛇口245 を開けることによって水を使用しない間は、用水は支管230 を経由して給水管240 へ流れることができない。
【００３３】
よって、スイッチング素子150 は放水管接合部120 の水通路を遮断状態に保ち、したがって用水管210 に供給された用水は貯水槽200 まで流れて貯水槽200 を特定の量で満たす。
【００３４】
給水一時停止などの場合に用水が水道局から用水管210 に供給されないとき、用水の代わりに貯水槽内の貯蔵水200 を使用することができる。
【００３５】
スイッチング素子150 の頂面に作用する貯蔵水の水圧がスイッチング素子150 の底面に作用する圧力と比較してより高くなるため、スイッチング素子150 は下方移動を開始する。 ちなみに、用水が支管接合部130 に供給されないときでも、特定量の水はケーシング110 内に残存する。 よって、スイッチング素子150 は、貯蔵水を給水管接合部140 へ流さしめるために下方移動中に残存水の抵抗を受ける。 しかしながら、本発明によれば、少なくとも１つの縦溝154 をスイッチング素子150 の外面に形成するため、スイッチング素子150 は下方移動する一方、残存水は縦溝154 に沿って流れることができる。 その結果、スイッチング素子150 は瞬時かつ効果的に 支管接合部130 の水通路を遮断し、給水管接合部140 の水通路を開いた状態にとどめる。 ひとたびスイッチング素子150 が支管接合部130 の水通路を遮断すると、貯水槽内の貯蔵水200 はケーシング110 に流れ、次いで給水管240 に流れ込むことができる。
【００３６】
上述のように、貯水槽200 の貯蔵水は、従来技術と比較してより迅速かつ効果的にユーザに供給することができる。図７には図６におけるスイッチング素子の変更形態を例示する。
【００３７】
スイッチング素子150 は、円周溝154a および154b を縦溝154 だけではなく本体152 の外面にも設けることができる。
【００３８】
円周溝154a および154b は縦溝154 に沿って流れる残存水の流路の長さを短くするためのものである。 すなわち、円周溝154a および154b は縦溝154 に沿って流れる残存水をより迅速に給水管接合部140 へ放出せしめ、したがってスイッチング素子150 はストッパ112 により迅速に移動することができる。 溝154、154a および154b の形状は、変更した形状が上述と同一機能を持つ限り多種多様に変更することができる。
【００３９】
以下、本発明の他の実施形態を添付図面を参照して詳細に説明する。
【００４０】
図８には本発明の第２実施形態によるシャトル弁の分解斜視図を例示する。 本発明の第２実施形態では、ケーシング110 内残存水の抵抗を減少するため、縦溝114 をスイッチング素子160 の外面に形成する代わりにケーシング110 の内面に形成する。 よって、スイッチング素子160 が下方移動する間に、ケーシング110 内の残存水はケーシング110 の内面に形成した縦溝114 に沿って流れることができる。 第２実施形態のスイッチング素子160 は、外面に縦溝154 を備えていないことを除いては、ほとんど第１実施形態と同一の構造を有する。 ケーシング内面の縦溝114 数は１つ以上であることが望ましい。
【００４１】
上記特徴を除いては、第２実施形態の基本的構造および操作原理はほとんど第１実施形態と同一である。
【００４２】
図９には本発明の第３実施形態によるシャトル弁の分解斜視図を例示する。 本発明の第３実施形態では、スイッチング素子170 は前実施形態とは異なり球体形状を有する。 少なくとも１つの縦溝114 をケーシング110 内面に形成する。
【００４３】
上記特徴を除いては、第３実施形態の基本的構造および操作原理はほとんど前実施形態と同一である。
【００４４】
図１０には本発明の第４実施形態によるシャトル弁に挿入したスイッチング素子の分解斜視図を例示し、図１１〜図１２には本発明の第４実施形態によるシャトル弁を例示する。 図に示したように、第４実施形態のスイッチング素子180 は本体182、バネ195 およびバネ固定リング190 を有する。 円筒形状を有するバネ挿入孔187 を本体182 に形成する。 バネ195 の一端をバネ固定リング190 に連結し、バネ195 の他端をバネ挿入孔187 に配置する。 少なくとも１つの縦溝154 を本体182 の外面に形成する。 突出部184 および186 を本体182 の上面と底面に形成し、パッキン材189 および188 を本体182 に連結する。 パッキン材188 および189 はゴムかウレタンで形成することが望ましい。 本体182 の上面および底面のいずれか１つをバネ挿入用に開口する。 すなわち、第１０図に示したように、本体182 の頂面から特定の深さを有するバネ挿入孔187 を本体182 内に形成し、バネ195 の一部分をバネ挿入孔187 に挿入する。 バネ195 の一端をバネ固定リング190 に連結し、バネ195 の他端はバネ挿入孔187 の底面に連結することができる。 バネ固定リング190 は、ネジに沿って放水管接合部120 および支管接合部130 の内面に形成した放水管接合部120 および支管接合部130 のいずれの１つに入れることができる。
【００４５】
図１１には、バネ固定リング190 を放水管接合部120 に固定するときのシャトル弁の構造を例示し、図１２には、バネ固定リング190 を支管接合部130 に固定するときのシャトル弁の構造を例示する。 バネ195 は第１１図の場合は圧縮バネであり、図１２の場合は引張バネである。
【００４６】
以下、本発明の第４実施形態の操作原理を図１１を参照して詳細に説明する。水道局から高圧で提供された用水は支管230 を経由してケーシング110 流れ込み、本体182 を上方に押し上げる。 バネ195 は前述のように圧縮バネであるが、水圧を考慮してバネ195 の弾性定数を高くしすぎてはならない。 移動本体182 は、ストッパ112 と接触すると停止し、次いで放水管接合部120 の水通路を遮断する。 パッキン材189 は放水管接合部120 の水通路をより確実に遮断するためのものであり、望ましくはゴムおよびウレタンなどの優れた密封特性を有する材料から形成する。 ひとたび本体182 が上方移動してストッパ112 と接触すると、放水管接合部120 の水通路を遮断し、給水管接合部140 の水通路が開かれるので、支管230 内の用水は給水管接合部140 を経由して給水管240 へ流れることができる。
【００４７】
用水が用水管210 に供給されない際には、本体182 は貯水槽内の貯蔵水200 とバネとの結合圧力によって下方移動を開始する。 本体182 が下方移動する間、ケーシング110 内の残存水は本体182 の外面に形成した縦溝154 に沿って流れ、したがってスイッチング素子180 の本体182 はより迅速に下方移動することができる。 本実施形態では、本体182 が貯水槽内の貯蔵水200 水圧だけによってではなく、バネ力によっても下方移動するため、本体182 は前実施形態と比べてはるかに速く下方移動することができる。 下方移動する本体182 はストッパ112 と接触するとその動きを停止し、支管接合部130 の水通路を遮断する。 よって、貯水槽200 の貯蔵水を放水管接合部120 を経由して給水管240 に供給することができる。
【００４８】
図１２では、バネ固定リング190 を支管接合部130 に入れ、バネ挿入孔187 を本体182 の底面から本体182 の内側に形成する。 バネ195 はここでは前述のように引張バネである。
【００４９】
第４実施形態では、縦溝154 をたとえば本体182 の外面に形成するが、縦溝は、本発明の第２実施形態のようにケーシング110 の内面に形成することができる。
【００５０】
であるが、本発明の技術的思想をシャトル弁100 を給水配管設備に垂直に設置する事例を用いて説明したが、シャトル弁100 は状況に応じて給水配管設備に水平設置することもできる。
【００５１】
当業者であれば本発明の趣旨または範囲から逸脱することなく本シャトル弁の種々変更形態および変更を行えることは明らかであろう。 かくして、特許請求の範囲およびその同等物の範囲から逸脱することがない限り、本発明には本発明の変更形態および改造形態が含まれることを意図するものである。
【図面の簡単な説明】
【００５２】
【図１】本発明による建物の給水配管設備に対するシャトル弁の設置実施例を例示する図。
【図２】従来技術によるシャトル弁の分解斜視図を例示する図。
【図３】図２のシャトル弁断面図を例示する図。
【図４】本発明によるシャトル弁の斜視図を例示する図。
【図５】本発明の第１実施形態による図４の「VI-VI」線に沿ったシャトル弁断面図を例示する図。
【図６】図５のシャトル弁に挿入したスイッチング素子の斜視図を例示する図。
【図７】図６におけるスイッチング素子の変更形態を例示する図。
【図８】本発明の第２実施形態によるシャトル弁の分解斜視図を例示する図。
【図９】本発明の第３実施形態によるシャトル弁の分解斜視図を例示する図。
【図１０】本発明の第４実施形態によるシャトル弁に挿入したスイッチング素子の分解斜視図を例示する図。
【図１１】本発明の第４実施形態によるシャトル弁を例示する図。
【図１２】本発明の第４実施形態によるシャトル弁を例示する図。
【図１】
2006523293.tif 000003
【図２】
2006523293.tif 000004
【図３】
2006523293.tif 000005
【図４】
2006523293.tif 000006
【図５】
2006523293.tif 000007
【図６】
2006523293.tif 000008
【図７】
2006523293.tif 000009
【図８】
2006523293.tif 000010
【図９】
2006523293.tif 000011
【図１０】
2006523293.tif 000012
【図１１】
2006523293.tif 000013
【図１２】
2006523293.tif 000014
【国際調査報告】
2006523293.tif 000015